(57)【要約】【課題】瞬間的に走行状態に切り替える際、爪先部による蹴上げ動作による力が効率良く地面に伝達し、且つ、蹴上げ及び着地時の足裏に対する負荷を最小限にする。【解決手段】靴底１と爪先の先端３と地面が形成する角度を５〜３０度の範囲に設定し、靴底１の内部において、第１中足骨頭の種子骨に対応する箇所に、デュロメータ硬度計で８０〜９０度（ＪＡタイプ）の弾性プレート４を挿入し、さらに、デュロメータ硬度計で５０〜７０度（ＪＡタイプ）で底部に突起８を有するクッション部材６を積層一体化する。【選択図】図６
2011212410.tif 000002
【特許請求の範囲】
【請求項１】
通常の歩行或いはジョギング中に、足部骨格、筋腱、靱帯、アーチ等に余計な負荷をかけることなく、運動生理学上効率よく、最大限の瞬発力で走行状態に切り替えることを可能にする靴底（１）であって、靴底（１）が爪先の先端（３）に向けて立ち上がる点と爪先の先端（３）を結んだ線と地面が形成する角度（θ）を５〜３０度の範囲に設定し、靴底（１）の内部において、第１中足骨頭の種子骨に対応する箇所に、デュロメータ硬度計で８０〜９０度（ＪＡタイプ）の弾性プレート（４）を挿入したことを特徴とする靴底。
【請求項２】
前記弾性プレート（４）の地面側の表面に前記表面と同一形状であって、デュロメータ硬度計で５０〜７０度（ＪＡタイプ）で底部に突起（８）を有するクッション部材（６）を積層一体化したことを特徴とする請求項１記載の靴底。
【請求項３】
前記弾性プレート（４）を、本体部（４）と、本体部（４）と連続していて本体部（４）の両端部に地面方向へ垂下して突設された垂下部（９）（９’）とから構成し、前記弾性プレート（４）の本体部（４）及び前記垂下部（９）（９’）とが形成する凹陥部（１０）内に、前記底部に突起（８）を有するクッション部材（６）を収納し、接着・一体化したことを特徴とする請求項１記載の靴底。
【請求項４】
前記弾性プレート（４）が硬質ポリプロピレシ、硬質ナイロン、熱可塑性ウレタン樹脂、及びアクリル樹脂からなる群から選択された材料で製造されたことを特徴とする請求項１〜３のいずれか１項に記載した靴底。
【発明の詳細な説明】
【技術分野】
【０００１】  本発明は、靴底に関する。特に、本発明は、通常の歩行状態から、瞬間的に走行状態に切り替える際、爪先部による蹴上げ動作による力が効率良く地面に伝達し、且つ、蹴上げ及び着地時の足裏に対する負荷を最小限にした靴底に関する。
本発明の靴底は、足全体を覆う胛皮を備えた、いわゆる「靴」、及び足全体を覆う胛皮を備えていない、いわゆる「サンダル」にも適用される。
【背景技術】
【０００２】  短距離競技を専門にする人でなくても、年齢、性別、職業に関わりなく、例えば、散歩等通常の歩行（ウオーキング）状態、或いは軽いジョギング中に、最大限の瞬発力で走行（ランニング）状態に切り替えることが必要な場合があり、また、敢えてそのようなインターバル練習をすることがある。インターバル練習の場合は、歩行・走行と、予めプログラムを想定するので、筋肉、骨格等に予測不可能な負荷が瞬間的にかかることは余りない。然しながら、散歩等通常の歩行（ウオーキング）状態から突発的に最大限の瞬発力で走行（ランニング）状態に切り替えた場合には、筋肉、骨格等に予測し得ない負荷が瞬間的にかかることがあり、思わぬ事故につながることがある。【０００３】  従来、専門家が使用するランニングシューズ、或いはウオーキングシューズ、もしくはジョギングシューズ等分野別の靴の開発は盛んになされてきた。然しながら、ウオーキングもしくはジョギング中に、前述したように瞬間的に全速でランニングに切り替えることを想定した靴の開発はなされていない。【０００４】  特許文献１は、ランニングシューズ、例えば、１００ｍ競争や走り幅跳びの助走のように瞬発的スピードを要求される種目に用いるランニングシューズの靴底を記載している。特許文献１が記載する靴底はランニングシューズ用であるので、当然、靴底にスパイク（３）及び突起体（１１）を設けることを必須の構成成分としており、踏みつけ部領域（Ｂ）に嵌挿して固定される補強部材（４）は、外側リブ部材（５）と内側リブ部材（６）を一体として具備する構造である。【０００５】  特許文献１の［００１７］には、概略「〜〜〜補強部材と連続し土踏まず部領域に設けた外側リブ部材と内側リブ部材が地面に接して靴底の踵部領域の下降を制御すると共に体重の負荷を受け止め靴底の変形を予防し靴底のスムーズな転動を促しブレーキ局面における疾走力の低下を防止する。〜〜〜外側リブ部材と内側リブ部材が足の外側部から内側部を経て前方部に至る転動を効率良く助長して疾走力の低下を防止する効果を有する。」と記載されている。この記載からも明らかなように、特許文献１に記載されたランニングシューズは、疾走力の低下の防止を目的とするものである。従って、特許文献１が記載する靴底は、年齢、性別、職業に関わりなく、例えば、散歩等通常の歩行（ウオーキング）、或いは軽いジョギング等日常使用する靴には不適当である。【０００６】  特許文献２は、アウトソール（１）とアウトソール（１）の上部に結合されたミッドソール（１’）とで構成され、あるいはアウトソール（１）のみで構成され、靴（３）のつま先部に対応する先端部が先端上方向に向けて所定の傾斜角度（α）で形成さている靴底において、アウトソール（１）及びミッドソール（１’）先端部が先端上方向に向けて５度乃至２０度の傾斜角度を維持できるように、先端部が先端上方向に向けて５度乃至２０度の傾斜角度を有する弾性板（２）が、アウトソール（１）又はミッドソール（１’）の先端部内部に埋め込まれている靴底を開示している。特許文献２の図１を参照すると、弾性板（２）は、つま先から足裏のほぼ２／３程度の全面に亘って配設されており、且つ弾性板（２）自体が、その先端部が先端上方向に向けて５度乃至２０度の傾斜角度を有しているので、歩行している間、強制的に足が、５度乃至２０度先端上方向に向けて傾斜する構造になっている。従って、その構造上、ウオーキングもしくはジョギング中に、前述したように瞬間的に全速でランニングに切り替えることを想定した靴底ではない。事実、特許文献２は［００３７］に、その主要な用途として、登山靴、工場労働者、医師、看護婦等長時間労働に携わる労働者に適していると記載している。【０００７】  特許文献３は、靴底のフマズ面の外方に３本の突条を平行に設け該３本の突条の高さを内方より外方に漸増して最外方の突条の高さを踵面の突起及び爪先面の突起とほぼ一様な高さとなしたる運動靴の構造を記載している。この運動靴は、撓みや角を生じないために肉刺の虞れなく、又甲被に対する張力は平均するために破損少なく、長時間及び長期間の運動競技に適するものとしている（特許文献３右欄第１６〜１９行）。従って、その構造上、ウオーキングもしくはジョギング中に、前述したように瞬間的に全速でランニングに切り替えることを想定した靴底ではない。【０００８】
【特許文献１】特許第２８７１５３７号特許公報
【特許文献２】特開平１１−３２８０６号公報
【特許文献３】実用新案出願公告昭３０−２６４２号公報
【発明の概要】
【発明が解決しようとする課題】
【０００９】  発明が解決しようとする第１の課題は、通常の歩行状態から、瞬間的に走行状態に切り替える際、爪先部による蹴上げ動作による力が効率良く地面に伝達し、且つ、蹴上げ及び着地時の足裏に対する負荷を最小限にした靴底及びそのような靴底を有する靴を提供することである。【００１０】  発明が解決しようとする第２の課題は、短距離競技を専門にする人でなくても、年齢、性別、職業に係わりなく、例えば、散歩等通常の歩行（ウオーキング）状態、或いは軽いジョギング中に、最大限の瞬発力で走行（ランニング）状態に切り替える際、筋肉、骨格等に余計な負荷をかかることなく、爪先部による蹴上げ動作による力を効率良く地面に伝達させ、且つ、蹴上げ及び着地時の足裏に対する負荷を最小限にした靴底及びそのような靴底を有する靴を提供することである。【００１１】  発明が解決しようとするその他の課題は、以下逐次明らかにされる。
【課題を解決するための手段】
【００１２】  本発明によると、上記課題は、次のようにして解決される。
１．通常の歩行或いはジョギング中に、足部骨格、筋腱、靱帯、アーチ等に余計な負荷をかけることなく、運動生理学上効率よく、最大限の瞬発力で走行状態に切り替えることを可能にする靴底であって、靴底が爪先の先端に向けて立ち上がる点と爪先の先端を結んだ線と地面が形成する角度（θ）を５〜３０度の範囲に設定し、靴底の内部において、第１中足骨頭の種子骨に対応する箇所に、デュロメータ硬度計で８０〜９０度（ＪＡタイプ）の弾性プレートを挿入したことを特徴とする靴底。【００１３】２．上記１項において、弾性プレートの地面側の面に前記面と同一形状であって、デュロメータ硬度計で５０〜７０度（ＪＡタイプ）の底部に突起を有するクッション部材を積層一体化する。【００１４】３．上記１項において、弾性プレートを、本体部と、本体部と連続していて本体部の両端部に地面方向へ垂下して突設された垂下部とから構成し、前記弾性プレートの本体部及び前記垂下部とが形成する凹陥部内に、前記底部に突起を有するクッション部材を収納し、接着・一体化したことを特徴とする請求項１記載の靴底。【００１５】４．上記１〜３のいずれか１項において、弾性プレートが硬質ポリプロピレン、硬質ナイロン、熱可塑性ウレタン樹脂、及びアクリル樹脂からなる群から選択された材料で製造する。
【発明の効果】
【００１６】  請求項１に記載した発明によれば、靴底が爪先の先端に向けて立ち上がる点と爪先の先端を結んだ線と地面が形成する角度（θ）を５〜３０度の範囲に設定し、靴底の内部において、第１中足骨頭の種子骨に対応する箇所に、デュロメータ硬度計で８０〜９０度（ＪＡタイプ）の弾性プレートを挿入したことにより、通常の歩行或いはジョギング中に、足部骨格、筋腱、靱帯、アーチ等に余計な負荷をかけることなく、運動生理学上効率よく、最大限の瞬発力で走行状態に切り替えることを可能にする。【００１７】  請求項２に記載した発明によれば、前記弾性プレートの地面側の表面に前記表面と同一形状であって、弾性プレートより硬度が低く、デュロメータ硬度計で５０〜７０度（ＪＡタイプ）の底部に凹凸を有するクッション部材を積層一体化したことにより、通常の歩行或いはジョギング中に最大限の瞬発力で走行状態に切り替える際に、地面に掛ける負荷、或いは、地面から受ける応力が弱化・分散され、足部骨格、筋腱、靱帯、アーチ等に掛かる負荷が軽減され、且つ、クッション部材の底部に形成された凹凸により防滑効果と共に、地面を蹴上げ効果が向上する。【００１８】  請求項３に記載した発明によれば、弾性プレートを、本体部と、本体部と連続していて本体部の両端部に地面方向へ垂下して突設された垂下部とから構成し、弾性プレートの本体部及び前記垂下部が形成する凹陥部に、底部に突起を有するクッション部材を収納し、接着・一体化したので、クッション部材が、弾性プレートの本体部及び前記垂下部が形成する凹陥部内で安定し、連続した激しい運動下でも、クッション部材が弾性プレートから剥離することがない。【００１９】  請求項４に記載した発明によれば、弾性プレートが硬質ポリプロピレン、硬質ナイロン、熱可塑性ウレタン樹脂、及びアクリル樹脂からなる群から選択された材料で製造するので、材料の入手が容易であり、各種物性データも確立しているので、形状・構造、必要な物性等諸元を安定して得ることが可能である。
【図面の簡単な説明】
【００２０】
【図１】本発明の弾性プレートを組み込んだ靴の実施例を示す左側面図。
【図２】本発明の弾性プレートを組み込んだ靴の実施例を示す底面図。
【図３】本発明の弾性プレートを組み込んだ靴の要部断面図。
【図４】本発明の弾性プレート及びクッション部材を組み込んだ靴の要部断面図。
【図５】本発明のクッション部材の要部断面図。
【図６】本発明の弾性プレート及びクッション部材を組み込んだ別の実施例を示す要部断面図。
【発明を実施するための形態】
【００２１】  歩行は、通常、右足踵の接地−左足爪先部の蹴上げ−右足裏全面の接地−左足踵の接地−右足爪先部の蹴上げ−左足裏全面の接地から成る６ステップの一連の連続した動作として行われる。
【００２２】  このような通常歩行時には、踵骨、距骨、船状骨、立方骨、第一楔状骨、第二楔状骨、第三楔状骨、中足骨、基節骨、中節骨、及び末節骨から構成されている足部骨格と、筋腱、靱帯、アーチ等が相乗或いは補完的に作用して、特定の部位に過度の荷重が負荷されないようになっている。
【００２３】  然しながら、散歩等通常の歩行（ウオーキング）、或いは軽いジョギング中に、最大限の瞬発力で走行（ランニング）状態に切り替えたり、方向転換したり、若しくは急に停止する動作（以下、このような動作を「ダッシュ」と総称する）を取らなければならない場合が発生する。この場合、中足骨、中でも中足骨頭に最も負荷がかかる。中足骨頭には、趾骨に対応する球状の関節面を備え、細い頸部に連なっていて、第１中足骨頭の下面に一対の種子骨を備えている。種子骨は、腱あるいは腱とゆう着している関節包にある骨片であるが、骨化の程度は一定ではなく、大部分が繊維軟骨性のものもある。種子骨は摩擦に抵抗するた機能を有するもので、その腱が接している骨部と関節している。
【００２４】  従って、ダッシュする場合、第１中足骨頭、及び第１中足骨頭の下面にある一対の種子骨に対応する箇所に応力が集中し、その箇所が過度に沈下し、ダッシュしたいとする意思と行動とが一致せず、各種の骨、筋腱、靱帯、アーチ等から構成される足関節の構造に障害を発生させ、最悪の場合、足関節捻挫等を惹起させることがある。
【００２５】  従って、ダッシュするときに、第１中足骨頭、及び第１中足骨頭の下面にある一対の種子骨に対応する箇所に応力が集中し、その箇所が過度に沈下するのを防止するには、その箇所に所定の構造と機能を有するプレートを配設することにより、ダッシュの際に、第１中足骨頭及び第１中足骨頭の下面にある一対の種子骨に対応する箇所から靴底を介して地面に付与される力（この力を「ダッシュ力」と略称する。ただし、「ダッシュ力」は運動生理学上の正式の学術用語ではない）、いわゆるダッシュ力が、分散・放出されずに、１００％地面に伝達され、速やかなダッシュが可能となる。
【００２６】  以下、本発明を、添付した図面に基づいて説明する。図１及び図２は、本発明の弾性プレートを組み込んだ靴の実施例を示す図で、図１はその左側面図を、図２はその底面図である。図１及び図２において、１は、靴底、いわゆるアウトソールである。本発明が適用されるのはアウトソールである。従って、アウトソールの上にさらに、ミッドソールが積層される態様あるいは、さらに着脱可能なカップインソール等が使用される態様も本発明の靴底の範囲に包含される。
【００２７】  靴底１は、爪先の先端３が上方に向かって所定の角度で反り返っている。靴底１が爪先の先端３に向けて立ち上がる点と爪先の先端３を結んだ線と地面が形成する角度（θ）を、トースプリング角度と呼称する。尚、トースプリング角度は、正式の学術用語でも、当業界で慣用されている用語でもない。本発明の場合、トースプリング角度（θ）は、５〜３０度の範囲で設定することが好ましい。トースプリング角度（θ）は、固定的に一律に決定されるべきではなく、靴の用途、使用者の年齢、性別、歩行時の癖、健康状態等諸条件に応じて設計されるべきである。
【００２８】  図２において４は弾性プレートである。弾性プレートは、靴底１の内部において、第１中足骨頭の種子骨に対応する箇所に挿入される。弾性プレート４は、ポロプロピレン、ナイロン、熱可塑性ウレタン、アクリル樹脂等で成形される。その形状は、足底の第１中足骨頭の種子骨に対応する箇所の形状に対応させて、変形した卵形、或いは楕円形が好ましく、長径は５０〜９０ｍｍ、短径は２５〜４０ｍｍ、厚さは２〜３．５ｍｍ、質量は３〜１５ｇ、硬度は８０〜９０ＪＡタイプの範囲に設定する。但し、これらの数値は、固定的に一律に決定されるべきではなく、靴の用途、使用者の年齢、性別、歩行時の癖、健康状態等諸条件に応じて設計されるべきである。
【００２９】  図３は、本発明の実施例１を示す要部断面図である。１はアウトソールの一部で、４は弾性プレートである。実施例１は、本発明の最も簡単な態様で、アウトソールの足底の第１中足骨頭の種子骨に対応する箇所に、［００１８］に記載した諸元の変形した卵形、或いは楕円形の凹陥部５を設け、凹陥部５の中に所定の形状・構造の弾性プレート４を嵌挿、接着し、一体化したものである。実施例１に示す態様は、材料コストを含む製造コストを低く抑える効果がある。また、デュロメータ硬度計で８０〜９０度（ＪＡタイプ）の弾性プレートを挿入したことにより、通常の歩行或いはジョギング中に、足部骨格、筋腱、靱帯、アーチ等に余計な負荷をかけることなく、運動生理学上効率よく、最大限の瞬発力で走行状態に切り替えることを可能にする。
【００３０】  図４は、本発明の実施例２を示す要部断面図である。実施例２は、弾性プレート４の地面側の面に、弾性プレート４と同一形状のクッション部材６を積層し、接着して一体化したものである。図４では、弾性プレート４と、クッション部材６は分離された状態であるが、これは両者を接着する前の状態を示したものである。
【００３１】  図５は、本発明のクッション部材６の一例を示す断面図である。クッション部材６は、厚さ（Ｔ１）が０．２〜２ｍｍの布に、ポリウレタンを含浸させて、厚さ（Ｔ２）が２〜１５ｍｍ、硬度（ＪＡタイプ）が５０〜７０の突起８を複数個形成したものである。突起同士の間隔（Ｌ）は、２ｍｍ以上が好ましい。図６では、突起８の形状は単純な矩形であるが、実際には、底面から観察して、円形、多角形、各種の形状の組合わせ、独立した模様、或いは連続模様等、意匠効果、防滑効果、地面を蹴上げる効果、地面からの応力を分散・弱化する効果等を勘案して形成することが好ましい。
【００３２】  図６は、本発明の実施例３を示す要部断面図である。実施例３は、弾性プレート４を、本体部４と、本体部４と連続していて本体部４の両端部に地面方向へ垂下して突設された垂下部９、９’とから構成し、前記弾性プレート４の本体部４及び前記垂下部９、９’とが形成する凹陥部１０内に、前記底部に突起８を有するクッション部材６を収納し、弾性プレート４と接着・一体化したものである。図６では、弾性プレート４と、クッション部材６は分離された状態であるが、これは両者を接着する前の状態を示したものである。弾性プレート４及びクッション部材６の形状・構造、諸元、物性等は、実施例１〜２で述べたので、それらの説明は割愛する。
【００３３】  図６に示した実施例３では、弾性プレート４を、本体部と、本体部と連続していて本体部の両端部に地面方向へ垂下して突設された垂下部９，９’とから構成し、弾性プレート４の本体部及び前記垂下部９，９’が形成する凹陥部１０に、底部に突起８を有するクッション部材６を収納し、接着・一体化したので、クッション部材６が、弾性プレート４の本体部及び前記垂下部９，９’が形成する凹陥部１０内で安定し、連続した激しい運動下でも、クッション部材６が弾性プレート４から剥離することがない。
【符号の説明】１        靴底（アウトソール）
２        甲皮
３        爪先の先端
４        弾性プレート
５        凹陥部
６        クッション部材
７        クッション部材のベース
８        クッション部材の突起
９、９’  垂下部
１０      凹陥部
θ        トースプリング角度
Ｔ１      クッション部材のベースの厚さ
Ｔ２      クッション部材の突起の厚さ
Ｌ        突起同士の間隔
【図１】
2011212410.tif 000003
【図２】
2011212410.tif 000004
【図３】
2011212410.tif 000005
【図４】
2011212410.tif 000006
【図５】
2011212410.tif 000007
【図６】
2011212410.tif 000008